(57)【特許請求の範囲】
【請求項１】
天井梁を設けた複数の建物ユニットを隣接配置してなるユニット建物であって、前記ユニット建物は所定の間隔で山部を設けた折板を介して天井梁にバルコニーが取り付けられた建物ユニットを有しており、前記バルコニーが取り付けられた建物ユニットは前記折板の水勾配の方向に２つ以上が連接されており、その水勾配の方向に直交する全ての天井梁の上面に折板の取付具が前記折板の山部と同じ間隔で固着されており、それらの取付具に前記折板が取り付けてあるとともに、
前記取付具が長尺のベースに固着してあり、そのベースには長手方向に断面Ｚ字状にされたものと上方に開口したコ字状にされたものがあり、隣接する天井梁に取り付ける取付具のベースは異なる断面形状とされていることを特徴とするユニット建物。
【請求項２】
前記折板は山部の頂部に左右に弧状に張り出された膨出部とこの膨出部の下に内方にくびれた窪み部とを有し、前記取付具は上端に左右に突出した係止部を有し、前記折板が膨出部において前記係止部に嵌着するようになされていることを特徴とする請求項１記載のユニット建物。
【発明の詳細な説明】
【０００１】
【発明の属する技術分野】
本発明は、バルコニーを取り付けられたユニット建物に関する。
【０００２】
【従来の技術】
従来、バルコニーの取り付け構造としては、特公平８−６３７２号公報において、ボルトを使用しない取り付け構造の折板にバルコニーを取り付けたものが記載されている。
【０００３】
また、折板の取り付け構造としては、例えば特公平６−９４７０６号公報において、建物ユニットの天井梁に、長尺のベースに取付具を所定の間隔で固着したものを取り付け、取付具に折板を取り付けたものが記載されている。
【０００４】
【発明が解決しようとする課題】
最近では、複数の建物ユニットにまたがる大きなバルコニーを設けるユニット建物が多くなっている。そのような場合、風や地震によりバルコニーに加わる力が大きくなるので、バルコニーの取り付け強度を強くする必要がある。
上記特公平８−６３７２号公報におけるバルコニーの取り付け構造の場合、折板とバルコニーとの取り付け構造を開示してあるが、折板の建物構造体への取り付け構造については記載がなく、結果としてバルコニーの建物構造体への取り付け構造や取り付け強度については記載されていなかった。
また、上記特公平６−９４７０６号公報における折板の取り付け構造においては、建物ユニットが連接された場合、隣接した天井梁の片方に取付具が取り付けられている。この折板に建物ユニットにまたがる大きなバルコニーを取る付ける場合、折板の取り付け強度が不足するという問題点があった。
【０００５】
本発明は上述の問題点に鑑みてなされたものであって、複数の建物ユニットにまたがる大きなバルコニーを必要十分な強度で取り付けたユニット建物を提供することを目的としている。
【０００６】
【課題を解決するための手段】
上記目的を達成するため請求項１記載の発明は、天井梁を設けた複数の建物ユニットを隣接配置してなるユニット建物であって、前記ユニット建物は所定の間隔で山部を設けた折板を介して天井梁にバルコニーが取り付けられた建物ユニットを有しており、前記バルコニーが取り付けられた建物ユニットは前記折板の水勾配の方向に２つ以上が連接されており、その水勾配の方向に直交する全ての天井梁の上面に折板の取付具が前記折板の山部と同じ間隔で固着されており、それらの取付具に前記折板が取り付けてあるとともに、前記取付具が長尺のベースに固着してあり、そのベースには長手方向に断面Ｚ字状にされたものと上方に開口したコ字状にされたものがあり、隣接する天井梁に取り付ける取付具のベースは異なる断面形状とされていることを特徴とするユニット建物である。
【０００８】
また、請求項２記載の発明は、請求項１において、前記折板は山部の頂部に左右に弧状に張り出された膨出部とこの膨出部の下に内方にくびれた窪み部とを有し、前記取付具は上端に左右に突出した係止部を有し、前記折板が膨出部において前記係止部に嵌着するようになされていることを特徴とするユニット建物である。
【０００９】
本発明における建物ユニットは、四隅の鋼柱の上下端間がそれぞれ形鋼からなる天井梁及び床梁で剛に結ばれて組み立てられた箱形の鉄骨骨組みを有する鉄骨系建物ユニットとするのが風や地震に対する強度が強く効果的である。
【００１０】
本発明においては、折板の取り付けは、折板の山部の頂部に孔を設け、取付具の頂部にボルトを設け、そのボルトを折板の孔に通しナットで固定してもよいが、折板には孔を設けずに請求項２のように嵌着する方が雨漏りの心配がなく、防錆性能が劣化しないという点から好ましい。
【００１１】
【作用】
請求項１記載の発明のユニット建物においては、バルコニーが取り付けられた建物ユニットは折板の水勾配の方向に２つ以上が連接されており、その水勾配の方向に直交する全ての天井梁の上面に折板の取付具が前記折板の山部と同じ間隔で固着されており、それらの取付具に前記折板が取り付けてある。従って、建物ユニットの隣接部では隣合う天井梁の両方の取付具により、折板が強力に固着できるので、連接した建物ユニットにまたがるバルコニーを十分な強度で取り付けることができる。
【００１２】
また、取付具が長尺のベースに固着してある。従って、予め工場等でベースに取付具を固着することができるので、取付具どうしの間隔と通りを正確に製造できる。その結果、取付具を天井梁上面にとりつける工数を減らし、精度を向上することができる。また、ベースには長手方向に断面Ｚ字状にされたものと上方に開口したコ字状にされたものがあり、隣合う天井梁に取り付ける取付具のベースは異なる断面形状とされている。従って、断面Ｚ字状のベースは、下に折り曲げられた側片を天井梁の外面に合わせて設置できるので、取付具を天井梁上面に正確に固着できる。また、上方に開口したコ字状のベースは、上に折り曲げられた側片を前記断面Ｚ字状のベースの側片と干渉することなく設置することができる。
【００１３】
請求項２記載の発明のユニット建物においては、折板は山部の頂部に左右に弧状に張り出された膨出部とこの膨出部の下に内方にくびれた窪み部とを有し、取付具は上端に左右に突出した係止部を有し、前記折板が膨出部において前記係止部に嵌着するようになされている。従って、折板を貫通したボルトを用いることなく折板とバルコニーとを取り付けることができる。つまり、メンテナンスの困難なバルコニーの下の折板の雨漏りの心配がなく、防錆性能を劣化させることがない。
【００１４】
【発明の実施の形態】
以下、本発明の実施の形態を実施例にもとづき図面を参照して説明する。
図１は本発明のユニット建物の平面図であり、図２は図１のユニット建物のバルコニーの取り付け構造を示すII−II断面図であり、図３は図２のIII −III 断面図であり、図４は本発明のユニット建物に用いられる断面Ｚ字状のベースに固着された取付具を示す斜視図であり、図５は本発明の建物ユニットに用いられる上方に開口した断面コ字状のベースに固着された取付具を示す斜視図である。
【００１５】
図１において、ユニット建物Ｕの最上階が建物ユニットＵ１〜Ｕ５から構成されており、それらの上面がバルコニー４とされ、手すり４３で囲われている。即ち、バルコニー４は建物の屋上で屋上庭園等に利用される屋上バルコニーである。またバルコニー４への出入りのために建物ユニットＵ２の上にペントハウスユニットＵ６が設けられている。
【００１６】
図２において、それぞれ天井梁１，１を設けた建物ユニットＵ１，Ｕ２において、所定の間隔で山部を設けた折板２を介して天井梁１，１，１，１にバルコニー４を固定金具５，５，・・・で取り付けてある。固定金具５は建物ユニット１個に対して６個以上取り付けられている。建物ユニットＵ１，Ｕ２は折板２の水勾配の方向に連接してあり、その水勾配の方向に直交する全ての天井梁１，１，１，１の上面に折板２の取付具３，３，・・・が折板２の山部と同じ間隔で固着してあり、それらの取付具３に折板２が嵌着してある。バルコニー４には建物ユニットＵ１及びＵ２に対応した床フレーム４１に床面材４２を固着し、手すり４３を立設してある。床フレーム４１は工場で予め組み立てたものを建物ユニットＵ１及びＵ２に載置、固定してある。また、床フレーム４１，４１間にはつなぎ床面材４２ａが固着してある。
床フレーム４１を工場で予め組み立てることにより、床フレーム４１の精度を向上し、現場施工工数を少なくすることができる。
【００１７】
図３で、バルコニー４の取り付けの詳細を説明する。まず、天井梁１への折板２の取り付けの詳細は以下のとおりである。取付具３の脚部３２を折板２の山部と同じ間隔で長尺のベース３４ａに固着したもの（図４参照）が天井梁１の上に取り付けてある。折板２の山部は頂部の左右に弧状に張り出された膨出部２１とこの膨出部の下に内方にくびれた窪み部２２とを有している。取付具３は脚部３２の上端に左右に突出した係止部３１を有し、折板２が膨出部２１において係止部３１に弾性により嵌着されている。
【００１８】
次に、折板２へのバルコニー４の取り付けの詳細は以下のとおりである。折板２の２条の山部の上に固定金具５が載置してある。固定金具５は、２層構造の板部材５１の上に固定板５２が立設してあり、板部材５１の折板２の山部の内側の位置にバネ片５５，５５が設けてあり、板部材５１の両側縁は下に折り曲げられた折り曲げ部とされており、その折り曲げ部に締めつけ板５３，５３がボルト５４で螺着されている。固定板５２にバルコニー４のフレーム材４１ａがボルト５４ａ，５４ａで固定してある。ここで、フレーム材４１ａにはボルト５４ａ用のネジ孔が設けてあり、ボルト５４ａが螺着できるようにされている。バネ片５５の折り返し部を折板２の山部の内側の窪み部２２にバネ弾性で当接させ、締めつけ板５３の折り返し部を折板２の山部の外側の窪み部２２にボルト５４の先端で当接させることにより、折板２へバルコニー４が取り付けてある。
このようにして、バルコニー４が折板２を介して全ての天井梁１，１，１，１に取り付けてあるので、強度を必要十分なものにすることができる。
【００１９】
図４，図５で取付具と長尺のベースについて説明する。図４において、取付具３は固定部３３から脚部３２が立設してあり、脚部３２の頂部に係止部３１が設けてある。長尺のベース３４ａは断面Ｚ字状にしてあり、天井梁１にビスで取り付けるための孔３５，３５，・・・が設けてある。取付具３は長尺のベース３４ａに固定部３３を溶接することに折板２の山部と同じ間隔で固着してある。
また、図５においては、上方に開口したコ字状にされた長尺のベース３４ｂに図４と同様に取付具３が固着してある。
【００２０】
以上のように、長尺のベースの断面をＺ字状またはコ字状とすることにより、ベースの材料厚を小さくしても曲げ強度を大きくすることができる。つまり、軽量化が図れ、施工性を向上することができる。材料費も安くすることができる。
【００２１】
図２に示すように、隣接する天井梁１，１に取り付ける取付具３のベース３４ａと３４ｂとは異なる断面形状としてある。断面Ｚ字状のベース３４ａは、下に折り曲げられた側片を天井梁１の外面に合わせて設置してあり、取付具３を天井梁１上面に正確に固着できる。また、上方に開口したコ字状のベース３４ｂは、上に折り曲げられた側片を前記断面Ｚ字状のベース３４ａの側片と干渉することなく設置することができる。
【００２２】
以上、本発明の実施例を図面により説明したが、本発明の具体的構成はこの実施例に限られるものではなく、本発明の要旨を逸脱しない範囲の設計の変更等があっても本発明に含まれる。
【００２３】
例えば、固定金具は固定金具５を半分にして折板の１条の山部に取り付けてもよいし、固定具５の板部材５１の幅を大きくして３条以上の山部に取り付けるようにしてもよい。
また、バルコニー４の出入りはペントハウスＵ６を使用せずに、階段を内蔵した通常の建物ユニットを使用してもよい。
【００２４】
【発明の効果】
請求項１記載の発明のユニット建物においては、水勾配の方向に直交する全ての天井梁の上面に折板の取付具が前記折板の山部と同じ間隔で固着されており、それらの取付具に前記折板が取り付けてある。従って、建物ユニットの隣接部では隣合う天井梁の両方の取付具により、折板が強力に固着できる。つまり、広いバルコニーを必要十分な強度で建物ユニットの天井梁に折板を介して固定することができる。
【００２５】
また、取付具が長尺のベースに固着してある。従って、予め工場等で字具を使用してベースに取付具を固着することができるので、取付具どうしの間隔と通りを正確に製造できる。その結果、取付具を天井梁上面にとりつける工数を減らし、精度を向上することができる。また、断面Ｚ字状のベースは、下に折り曲げられた側片を天井梁の外面に合わせて設置できるので、取付具を天井梁上面に正確に固着できる。また、上方に開口したコ字状のベースは、上に折り曲げられた側片を前記断面Ｚ字状のベースの側片と干渉することなく設置することができる。つまり、取付具を正確に納まりよく取り付けることができるので、バルコニーの取り付けの信頼性を向上することができる。
【００２６】
さらに、請求項２記載の発明のユニット建物においては、折板が山部の膨出部において取付具の係止部に嵌着するようになされている。従って、折板を貫通したボルトを用いることなく折板とバルコニーとを取り付けることができる。つまり、メンテナンスの困難なバルコニーの下の折板の雨漏りに対する信頼性を向上でき、防錆性能を劣化させることがなく、竣工後のメンテナンスまでの期間を長くすることができる。
【図面の簡単な説明】
【図１】本発明のユニット建物の平面図である。
【図２】図１のユニット建物のバルコニーの取り付け構造を示すII−II断面図である。
【図３】図２のIII −III 断面図である。
【図４】本発明のユニット建物に用いられる断面Ｚ字状のベースに固着された取付具を示す斜視図でありる。
【図５】本発明の建物ユニットに用いられる上方に開口した断面コ字状のベースに固着された取付具を示す斜視図である。
【符号の説明】
Ｕ  ユニット建物
Ｕ１，Ｕ２，Ｕ３，Ｕ４，Ｕ５，Ｕ６  建物ユニット
１  天井梁
２  折板
２１  膨出部
２２  窪み部
３  取付具
３１  係止部
３４ａ，３４ｂ  ベース
４  バルコニー
【図１】
0004044694.tif 000002
【図２】
0004044694.tif 000003
【図３】
0004044694.tif 000004
【図４】
0004044694.tif 000005
【図５】
0004044694.tif 000006